(57)【要約】【課題】部品点数が少なく、コストダウンを図ることができ、しかも、パウダーが外部に漏れ出すことのないパウダー容器を提供する。【解決手段】容器本体に、パウダーを収容する化粧料収容凹部２ａが形成されたレフィル容器２が着脱自在に収容されるパウダー容器であって、上記化粧料収容凹部２ａの少なくとも一部の周側面が湾曲面に形成されているとともに、この湾曲面の上端部に一体成形により把持用突片１８が、その下端部を中心として上下方向に回動可能に突設され、把持用突片１８が、その下端部の両端部分の固定により、上記湾曲面に沿って湾曲し上記上端部から起立する起立状態と、この起立状態から把持用突片１８をその起立力に抗して下方に回動させて上記湾曲面に当接させる当接状態とに切り換え可能に構成し、この当接状態では把持用突片１８が反転して上記湾曲面に沿う形状に湾曲しその状態が保持される。【選択図】図３
2008142175.tif 000002
【特許請求の範囲】
【請求項１】
有底筒状の容器本体に、パウダーを収容するパウダー収容凹部が形成された収容体が着脱自在に収容されるパウダー容器であって、上記パウダー収容凹部の少なくとも一部の周側面が湾曲面に形成されているとともに、この湾曲面の上端部に一体成形により可撓性突片が、その下端部を中心として上下方向に回動可能に突設され、この可撓性突片が、その下端部の両端部分の固定により、上記湾曲面に沿って湾曲し上記上端部から起立する起立状態と、この起立状態から上記可撓性突片をその起立力に抗して下端部を中心として下方に回動させて上記湾曲面に当接させる当接状態とに切り換え可能に構成し、この当接状態では、上記可撓性突片が反転して上記湾曲面に沿う形状に湾曲しその状態が保持されることを特徴とするパウダー容器。
【請求項２】
上記パウダー収容凹部の角部の周側面が湾曲面に形成されている請求項１記載のパウダー容器。
【発明の詳細な説明】
【技術分野】
【０００１】
本発明は、パウダー（例えば、レフィル用のパウダー化粧料）を収容するのに適したパウダー容器に関するものである。
【背景技術】
【０００２】
従来から、パウダー化粧料等のパウダーが充填されたレフィル容器等を収容するパウダー容器として、各種のパウダー容器が用いられている。このようなパウダー容器では、パウダー容器の底壁にレフィル容器等を接着したり、パウダー容器の内周部に設けた係合部とレフィル容器等の外周部に設けた被係合部との係合によりパウダー容器にレフィル容器等を着脱自在に固定する等、各種の固定方法が採用されている。ところが、通常は、パウダー容器の外観を良くするために、パウダー容器の内周面とレフィル容器等の上端部の外周面との間の隙間を極力小さくした状態で、パウダー容器にレフィル容器等を組み付けることがよく行われており、パウダー容器からレフィル容器等を取り出す際に、レフィル容器等に充分な力を加えにくく、取り出すのに手間がかかるという問題がある。
【０００３】
そこで、図１７に示すようなパウダー容器が提案されている。このパウダー容器は、上面が開口した容器本体３１と、この容器本体３１を覆う蓋体３２と、上記容器本体３１の下部に組み付けられるレフィル容器３３と、上記容器本体３１の上部に取り付けられる中蓋３４と、この中蓋３４に載置されるパフ３５とを備え、上記容器本体３１に設けた係止溝（図示せず）に、上記レフィル容器３３に設けた係止爪（図示せず）を着脱自在に係合させている。また、上記レフィル容器３３の内部にリボン３６を配設し、このリボン３６の一側部を、レフィル容器３３の側壁に設けたスリット３３ａに挿入してブロック３７により固定している（図１８参照）。また、上記リボン３６の他側部を、レフィル容器３３の底面に設けた爪３３ｂに留め、パウダー３８充填時に（この充填は、レフィル容器３３を逆さに向け、レフィル容器３３の上面開口部をシール３９により密封した状態で、レフィル容器３３の底壁に形成された注入口３３ｃからパウダー３８を注入して行われる）、リボン３６がシール３９側に垂れ下がるのを防止している。
【０００４】
そして、レフィル容器３３に充填されたパウダー３８を消費していない状態では、リボン３６はパウダー３８に隠れて外部に露出していないが、パウダー３８を消費すると、リボン３６が外部に露出するため、これを上方に引っ張ることによりレフィル容器３３を引き上げて上記係合を解除し、容器本体３１から取り外すことができる（例えば、特許文献１参照）。
【特許文献１】特開平１１−２０６４４２号公報
【発明の開示】
【発明が解決しようとする課題】
【０００５】
しかしながら、上記のパウダー容器では、レフィル容器３３とリボン３６とを別々に作製しているため、部品点数が多くなり、在庫管理等の管理面が複雑化するうえ、レフィル容器３３以外にリボン３６を作製するのに手間がかかり、コストアップにもつながる。しかも、レフィル容器３３に充填したパウダー３８がレフィル容器３３のスリット３３ａから外部に漏れ出すため、レフィル容器３３内のパウダー３８量が早期に減少するうえ、漏れ出したパウダー３８で周囲が汚染される。しかも、レフィル容器３３にリボン３６を組み付ける場合には、レフィル容器３３の内部に配設したリボン３６の一側部をレフィル容器３３のスリット３３ａに挿入してブロック３７により固定し、リボン３６の他側部をレフィル容器３３の爪３３ｂに留めなければならず、この組み付け作業に手間がかかり、さらなるコストアップにつながる。
【０００６】
本発明は、このような事情に鑑みなされたもので、部品点数が少なく、コストダウンを図ることができ、しかも、パウダーが外部に漏れ出すことのないパウダー容器の提供をその目的とする。
【課題を解決するための手段】
【０００７】
上記の目的を達成するため、本発明のパウダー容器は、有底筒状の容器本体に、パウダーを収容するパウダー収容凹部が形成された収容体が着脱自在に収容されるパウダー容器であって、上記パウダー収容凹部の少なくとも一部の周側面が湾曲面に形成されているとともに、この湾曲面の上端部に一体成形により可撓性突片が、その下端部を中心として上下方向に回動可能に突設され、この可撓性突片が、その下端部の両端部分の固定により、上記湾曲面に沿って湾曲し上記上端部から起立する起立状態と、この起立状態から上記可撓性突片をその起立力に抗して下端部を中心として下方に回動させて上記湾曲面に当接させる当接状態とに切り換え可能に構成し、この当接状態では、上記可撓性突片が反転して上記湾曲面に沿う形状に湾曲しその状態が保持されるという構成をとる。
【発明の効果】
【０００８】
すなわち、本発明のパウダー容器は、（容器本体に着脱自在に収容される）収容体のパウダー収容凹部の少なくとも一部の周側面が湾曲面に形成されており、この湾曲面の上端部に一体成形により可撓性突片が、その下端部を中心として上下方向に回動可能に突設されている。また、この可撓性突片はその下端部の両端部分の固定により、これを上方に回動させることにより上記湾曲面の上端部から起立する起立状態（上記可撓性突片が、内向きに湾曲する状態）と、下方に回動させることにより上記湾曲面に当接する当接状態（上記可撓性突片が、外向きに湾曲する状態）とに切り換え可能に構成されている。そして、上記パウダー収容凹部へのパウダー充填は、可撓性突片を当接状態にして行われるが、この可撓性突片を起立状態から当接状態に切り換える場合には、起立状態にある可撓性突片を手指等で下向きに押し、その起立力に抗して下端部を中心として下方に回動させることを行う。この回動により、可撓性突片はその可撓性で外向きに反転し（すなわち、起立状態では内向きに湾曲していた可撓性突片が、下方に回動することで外向きに湾曲し）、上記湾曲面に当接する。また、この当接状態は上記可撓性突片の反り力により保持される。このため、パウダー収容凹部にパウダーを充填する作業中に、収容体を逆さに向けることがあっても、可撓性突片は垂れ下がらない。また、収容体のパウダー収容凹部にパウダーを充填した状態では、可撓性突片の大部分はパウダーに隠れて見えない。
【０００９】
一方、上記パウダー収容凹部内のパウダーを消費し終えると、上記パウダー収容凹部内の可撓性突片の全体が外部に露呈するため、この可撓性突片を手指等を利用して引っ張り上げて上方に回動させると、この回動により上記可撓性突片がその可撓性で内向きに反転して元の形状に戻り、上記上端部から起立する。これを手指で把持して上方に引っ張ると、可撓性突片とともに収容体を持ち上げて容器本体から取り出すことができる。
【００１０】
上記のように、本発明のパウダー容器では、収容体のパウダー収容凹部に可撓性突片を一体成形により突設しているため、部品としては、収容体以外に可撓性突片を作製する必要がなく、部品点数が少なくなり、在庫管理等の管理面が簡単化するうえ、収容体と一緒に可撓性突片を作製することができ、可撓性突片の作製の手間が省け、コストダウンを図ることができる。しかも、上記のとおり、パウダー収容凹部に可撓性突片を一体成形により突設しているため、パウダー収容凹部に隙間等がなく、パウダー収容凹部内のパウダーが外部に漏れ出すことがない。したがって、パウダー収容凹部内のパウダー量が早期に減少したり、パウダーで周囲が汚染されることがなくなる。しかも、パウダー充填の前に可撓性突片を起立状態から当接状態に切り換えることが行われるが、この切換は、起立状態にある可撓性突片を下方に回動させるだけでよく、簡単に行える。
【００１１】
また、上記パウダー収容凹部の角部の周側面が湾曲面に形成されている場合には、上記パウダー収容凹部の角部を利用して上記可撓性突片を形成することができる。
【発明を実施するための最良の形態】
【００１２】
つぎに、本発明を実施するための最良の形態について説明する。ただし、本発明は、この実施の形態に限られるものではない。
【００１３】
図１は本発明のパウダー容器の一実施の形態を示している。この実施の形態では、パウダー容器に収容するパウダーとして、パウダー化粧料３が用いられている。図において、１は合成樹脂製の容器本体であり、略有底四角形筒状に形成されている。この容器本体１には、図２に示すように、その４つの角部の底壁１ａからそれぞれ弾性係合板１１が立設されており（図２では、１つの角部に立設された弾性係合板１１しか図示せず）、その上端部から、後述するレフィル容器２の４つの係合突部１２ａ（図２参照）に着脱自在に係合する被係合突部１１ａが突設されている。
【００１４】
２は上記容器本体１内の下部空間に着脱自在に収容されるレフィル容器（収容体）であり、略有底四角形筒状に形成されている。このレフィル容器２には、その上面に、内部にパウダー化粧料３が充填される平面視略四角形状の化粧料収容凹部（パウダー収容凹部）２ａが形成されている。すなわち、このレフィル容器２は、内部にパウダー化粧料３が収容される略有底四角形筒状の化粧料収容部１２と、この化粧料収容部１２の上端部外周面から略水平に突設される鍔部１３とを備えており、上記化粧料収容部１２の内部空間が化粧料収容凹部２ａとなり、上記鍔部１３の上面がレフィル容器２の上面となっている。
【００１５】
上記化粧料収容凹部２ａは、その４つの角部の周側面がそれぞれ湾曲面（いわゆる、Ｒ〔アール〕面）に形成されており、これら４つの角部のうち、１つの角部の周側面（すなわち、湾曲面）の上端部には、容器本体１内に収容されたレフィル容器２を上方に引っ張って容器本体１から取り出すための把持手段１５が金型成形等で一体成形されている。この把持手段１５は、図３に示すように、上記１つの角部の湾曲面の上端部に切欠き形成された切欠き凹部１６と、この切欠き凹部１６から突設された２つのヒンジ連結部１７と、これら両ヒンジ連結部１７に上下方向にヒンジ連結される把持用突片（可撓性突片）１８とからなっており、この把持用突片１８が上記１つの角部の湾曲面に当接している。そして、この当接状態で上記化粧料収容凹部２ａにパウダー化粧料３が充填されている。
【００１６】
上記把持手段１５をより詳しく説明すると、上記切欠き凹部１６は、図４〜図６に示すように、上記１つの角部の湾曲面の上端部にこの湾曲面に沿って、内面および上面が開口する状態で切欠き形成されたものであり、外側に向かって上り傾斜状に傾斜する内側傾斜面１６ａと、この内側傾斜面１６ａの外周縁から外側に向かって水平に延びる中間水平面１６ｂと、この中間水平面１６ｂの外周縁から上方に向かって垂直に延びる後側垂直面１６ｃとを備えている。
【００１７】
上記両ヒンジ連結部１７は、上記切欠き凹部１６の周方向両端部に、所定の周方向長さ（５ｍｍ程度）で突設されており、略水平方向に形成された上下一対の薄肉部１７ａ，１７ｂ（厚み０．５ｍｍ程度）と、これら両薄肉部１７ａ，１７ｂを連結する側面視二等辺三角形状の連結部１７ｃとを備えている。また、上記両下側薄肉部１７ａは、上記連結部１７ｃの下端部と上記切欠き凹部１６の内側傾斜面１６ａの（周方向両端部の）上端部とを連結し、上記両上側薄肉部１７ｂは、上記連結部１７ｃの上端部と上記把持用突片１８の（周方向両端部の）下端部とを連結している。そして、上記各薄肉部１７ａ，１７ｂを中心として、把持用突片１８が上下方向に回動可能になっている。
【００１８】
上記把持用突片１８は、上記湾曲面に沿う形状に湾曲形成された板状体（厚み１ｍｍ程度）で構成されており、可撓性を有している。この把持用突片１８には、図３に示す当接状態の把持用突片１８を上方に回動させる際に利用される貫通孔１８ａが形成されている。
【００１９】
このような把持手段１５は、図７〜図１０に示すように、上記把持用突片１８が切欠き凹部１６から略垂直に起立した状態で作製される。この起立状態では、上記把持用突片１８を手指で把持することができる。また、上記把持用突片１８を手指で下向きに押して下方に回動させると、その回動の途中で上記把持用突片１８がそれ自体の可撓性により反転し、上記１つの角部の湾曲面に当接させることができる（図３参照）。図９および図１０において、１９は上下一対のＶ溝であり、下側Ｖ溝１９は、上記連結部１７ｃの下側傾斜面と上記切欠き凹部１６の（周方向両端部の）内側傾斜面１６ａとで構成され、上側Ｖ溝１９は、上記連結部１７ｃの上側傾斜面と上記把持用突片１８の（周方向両端部の）下端部の傾斜面とで構成されている。これら両Ｖ溝１９はともに、その溝角度が略９０°に設定されている。
【００２０】
上記レフィル容器２（の化粧料収容部１２）には、その４つの角部の外周面からそれぞれ、上記容器本体１の各被係合突部１１ａに着脱自在に係合する係合突部１２ａが突設されている（図２では、３つの角部に突設された係合突部１２ａしか図示せず。なお、図２以外の図では、係合突部１２ａは図示せず）。また、上記レフィル容器２には、その底壁２ｂの中央部に、上記レフィル容器２にパウダー化粧料３を充填する際に利用される貫通孔２０（図１および図２参照）が設けられている。
【００２１】
４は上記レフィル容器２の上面上に載置される伸縮性のメッシュ体（図１参照）で、５は上記容器本体１に内嵌状に固定される略四角形筒状の押え筒（図１参照）で、その上端部外周面から突設された鍔部５ａが上記容器本体１の上面上に載置されているとともに、その下端面が上記メッシュ体４の枠部４ａに当接している。６は円盤状に形成されたパフ（図１参照）で、上記メッシュ体４のメッシュ部４ｂ上に載置されている。７は上記容器本体１の上面全体を蓋する略有天四角形筒状の合成樹脂製の蓋体（図１参照）であり、その周側壁７ａが上記容器本体１に外嵌されている。
【００２２】
上記の構成において、上記化粧料収容凹部２ａにパウダー化粧料３を充填するため、上記化粧料収容凹部２ａの切欠き凹部１６から、内向きに湾曲した状態で起立する把持用突片１８（図７〜図１０参照）を、上記１つの角部の湾曲面に当接させる場合には、上記起立状態の把持用突片１８を下向きに押して下方に回動させることを行う。すなわち、上記起立する把持用突片１８を手指で下向きに押すと、図７に示す状態から把持用突片１８が両ヒンジ連結部１７の上側薄肉部１７ｂを中心として下方に回動し、水平状態となる（図１１および図１２参照）。このとき、上記把持用突片１８は、上記湾曲面に沿って回動するため、この回動の際に少し撓もうとするが、この撓みを両ヒンジ連結部１７で吸収することができる。したがって、上記水平状態では、上記把持用突片１８は元の湾曲状態を保って内向きに湾曲している。
【００２３】
この水平状態の把持用突片１８をさらに手指で下向きに押すと、把持用突片１８が両ヒンジ連結部１７の下側薄肉部１７ａを中心としてさらに下方に回動しようとするが、両ヒンジ連結部１７が固定されているため、上記把持用突片１８の中央部分（上記両ヒンジ連結部１７間の部分）が内向きに湾曲した状態では、上記把持用突片１８は下方に回動しない。その状態から手指でさらに押すと、上記把持用突片１８の中央部分がそれ自体の可撓性により撓み始め、外向きに反りだし（すなわち、内向きから外向きに反転しだし）、さらに手指での押圧により上記把持用突片１８の中央部分が外向きに大きく反り、ついには上記把持用突片１８の全体が外向きに反りながら勢いよく（手指から離れて）下方に回動し、上記湾曲面に当接する（図３参照）。また、この当接状態は、上記把持用突片１８の反り力により保持される。
【００２４】
そののち、レフィル容器２を、その上面開口部をシール等（図示せず）で密封した状態で逆さに向け、レフィル容器２の底壁２ｂに設けた貫通孔２０からパウダー化粧料３を注入して充填することを行う。
【００２５】
また、上記化粧料収容凹部２ａ内のパウダー化粧料３を消費し終えたのち、レフィル容器２を容器本体１から取り出す場合には、上記化粧料収容凹部２ａの底部に把持用突片１８の先端部分が露呈するため、上記把持用突片１８の貫通孔１８ａに指先を引っ掛け、もしくは細棒を挿入する等して上記把持用突片１８を持ち上げる。これにより、把持用突片１８が両ヒンジ連結部１７を中心として上方に回動し、この回動の途中で把持用突片１８が反転し、ほとんど元の湾曲状態に戻って水平状態になり、この水平状態の把持用突片１８をさらに上方に持ち上げると、両ヒンジ連結部１７を中心としてさらに上方に回動し、起立状態になる（図１３参照）。そののち、この把持用突片１８を手指で持って上方に持ち上げると、一緒にレフィル容器２が持ち上げられ、上記容器本体１の各弾性係合板１１の被係合突部１１ａとレフィル容器２の各係合突部１２ａとの係合が外れ、レフィル容器２を容器本体１から取り出すことができる。
【００２６】
このように、上記実施の形態では、レフィル容器２の化粧料収容凹部２ａに把持手段１５が一体成形により突設されているため、部品点数が少なく、在庫管理等の管理面が簡単化するうえ、レフィル容器２の作製と一緒に把持手段１５を作製することができ、把持手段１５の作製の手間が省け、コストダウンを図ることができる。しかも、上記化粧料収容凹部２ａの湾曲面の上端部に把持手段１５が一体成形されているため、上記化粧料収容凹部２ａ内のパウダー化粧料３が外部に漏れ出すことがなく、上記化粧料収容凹部２ａ内のパウダー化粧料３量が早期に減少したり、周囲が汚染されることがなくなる。しかも、パウダー化粧料３の充填前に把持用突片１８を起立状態から当接状態に切り換える際に、起立状態にある把持用突片１８を下方に回動させるだけでよく、上記切り換え作業が簡単に行える。
【００２７】
図１４は上記把持用突片１８の変形例を示している。この例では、上記把持用突片１８には、その先端部分に、指先等を挿入しうる切欠き部２２が切欠き形成されている。したがって、上記把持用突片１８に貫通孔１８ａは形成されていない。それ以外の部分は上記実施の形態と同様であり、同様の部分には同じ符号を付している。この例の把持用突片１８を用いた場合にも、上記実施の形態と同様と同様の作用・効果を奏する。
【００２８】
図１５は上記把持用突片１８の他の変形例を示している。この例では、上記把持用突片１８の中央部分に、指先等を引っ掛けうる複数本（この例では、３本）の突条２３が、上記湾曲面の周方向に沿って突設されている。したがって、この例でも、上記把持用突片１８に貫通孔１８ａは形成されていない。それ以外の部分は上記実施の形態と同様であり、同様の部分には同じ符号を付している。この例の把持用突片１８を用いた場合にも、上記実施の形態と同様と同様の作用・効果を奏する。
【００２９】
図１６は上記把持用突片１８のさらに他の変形例を示している。この例では、上記把持用突片１８には、その先端部分の裏面１８ｂ（当接状態で、上記湾曲面に対面する側面）に、指先等を挿入しうる凹部２４が形成されている。したがって、この例でも、上記把持用突片１８に貫通孔１８ａは形成されていない。それ以外の部分は上記実施の形態と同様であり、同様の部分には同じ符号を付している。この例の把持用突片１８を用いた場合にも、上記実施の形態と同様と同様の作用・効果を奏する。
【００３０】
なお、上記実施の形態では、パウダー容器に収容するパウダーとして、パウダー化粧料３を用いているが、これに限定するものではなく、各種のパウダーを用いることができる。
【００３１】
また、上記実施の形態において、上記両ヒンジ連結部１７は、把持用突片１８が上下方向に回動する際に破断等することがないように、上下一対の薄肉部１７ａ，１７ｂの周方向長さは３〜１０ｍｍの範囲内に設定され、厚みは０．３〜０．７ｍｍの範囲内に設定されている。
【００３２】
また、上記実施の形態において、上記化粧料収容凹部２ａの湾曲面に、把持用突片１８が収まる凹部を形成し、当接状態で把持用突片１８が上記凹部に収まって上記湾曲面から突出しないようにしてもよい。
【００３３】
また、図１６に示す把持用突片１８において、凹部２４に代えて、傾斜面を形成してもよい。
【００３４】
また、上記実施の形態では、上記化粧料収容凹部２ａの４つの角部の周側面がそれぞれ湾曲面に形成されているため、これら４つの角部のうち、１つの角部の周側面に把持手段１５が形成されているが、上記化粧料収容凹部２ａが平面視略円形状である場合には、どの部分に把持手段１５が形成されていてもよいし、上記化粧料収容凹部２ａの一部が湾曲状（例えば、円弧状）である場合には、この湾曲状の部分に把持手段１５が形成されていればよい。
【００３５】
また、上記各把持用突片１８は、その下端部の両端部分が、上記１つの角部の湾曲面の上端部に形成された切欠き凹部１６に２つのヒンジ連結部１７を介してヒンジ連結されているが、上記下端部の全体が１つのヒンジ連結部１７を介して切欠き凹部１６にヒンジ連結されていてもよい。
【図面の簡単な説明】
【００３６】
【図１】本発明のパウダー容器の一実施の形態を示す断面図である。
【図２】容器本体およびレフィル容器の斜視図である。
【図３】上記レフィル容器の要部の斜視図である。
【図４】上記レフィル容器の要部の平面図である。
【図５】上記レフィル容器の要部の断面図である。
【図６】上記レフィル容器の他の要部の断面図である。
【図７】起立状態の把持用突片の斜視図である。
【図８】上記起立状態の把持用突片の平面図である。
【図９】上記起立状態の把持用突片の断面図である。
【図１０】上記起立状態の把持用突片の要部の断面図である。
【図１１】上記把持用突片の作用を示す平面図である。
【図１２】上記把持用突片の作用を示す断面図である。
【図１３】上記把持用突片の作用を示す斜視図である。
【図１４】上記把持用突片の変形例を示す斜視図である。
【図１５】上記把持用突片の他の変形例を示す斜視図である。
【図１６】上記把持用突片のさらに他の変形例を示す断面図である。
【図１７】従来例を示す断面図である。
【図１８】上記従来例の要部の断面図である。
【符号の説明】
【００３７】
２  レフィル容器
２ａ  化粧料収容凹部
１８  把持用突片
【図１】
2008142175.tif 000003
【図２】
2008142175.tif 000004
【図３】
2008142175.tif 000005
【図４】
2008142175.tif 000006
【図５】
2008142175.tif 000007
【図６】
2008142175.tif 000008
【図７】
2008142175.tif 000009
【図８】
2008142175.tif 000010
【図９】
2008142175.tif 000011
【図１０】
2008142175.tif 000012
【図１１】
2008142175.tif 000013
【図１２】
2008142175.tif 000014
【図１３】
2008142175.tif 000015
【図１４】
2008142175.tif 000016
【図１５】
2008142175.tif 000017
【図１６】
2008142175.tif 000018
【図１７】
2008142175.tif 000019
【図１８】
2008142175.tif 000020